(57)【要約】【課題】検出点の検出精度を向上させることができる操作装置を提供する。【解決手段】操作装置１は、図１に示すように、第１の方向に並べられた複数の電極を有するタッチパネル２と、予め定められた順番に従って複数の電極から検出値を読み出す読出部５と、タッチパネル２と読出部５との間に電気的に接続され、予め定められた順番に従って複数の電極と読出部５との電気的な接続を選択的に切り替える切替部７と、読出部５を介して取得した検出値に基づいて、タッチパネル２になされた操作の操作方向を判定し、操作方向に従って予め定められた順番を変更するように切替部７を制御する制御部８と、を備えて概略構成されている。【選択図】図２
2014081719.tif 000002
【特許請求の範囲】
【請求項１】
第１の方向に並べられた複数の電極を有する検出部と、
予め定められた順番に従って前記複数の電極から検出値を読み出す読出部と、
前記検出部と前記読出部との間に電気的に接続され、前記予め定められた順番に従って前記複数の電極と前記読出部との電気的な接続を選択的に切り替える切替部と、
前記読出部を介して取得した検出値に基づいて、前記検出部になされた操作の操作方向を判定し、前記操作方向に従って前記予め定められた順番を変更するように前記切替部を制御する制御部と、
を備えた操作装置。
【請求項２】
前記制御部は、前記検出部になされた操作を検出するためのしきい値を備え、
前記しきい値より大きい第１の検出値が検出され、前記第１の検出値より後で、かつ、予め定められた期間内に取得された第２の検出値が、前記しきい値より大きい場合、前記操作方向と、前記予め定められた順番に応じて検出値が読み出される方向と、が一致していると判定する請求項１に記載の操作装置。
【請求項３】
前記制御部は、前記操作方向と、前記検出値が読み出される方向と、が異なる場合、前記第１の検出値が読み出された電極の前記操作方向側の電極から検出値を読み出すように前記切替部を制御する請求項２に記載の操作装置。
【発明の詳細な説明】
【技術分野】
【０００１】
本発明は、操作装置に関する。
【背景技術】
【０００２】
従来の技術として、パルスが印加されるｎ本（ｎは２以上の整数）の第１のライン状電極及びこれらの第１のライン状電極と交差して配置された検出用のｍ本（ｍは２以上の整数）の第２のライン状電極と、ｎ本の第１のライン状電極から選択されたｎ１本（ｎ１は１以上ｎ以下の整数）の第１のライン状電極に選択された順序でパルスを印加するパルス発生回路とを有し、第１のライン状電極と第２のライン状電極との間の静電容量の変化を検出することによりタッチされた位置を検出するタッチパネルが知られている（例えば、特許文献１参照。）。
【０００３】
このタッチパネルは、例えば、第１のライン状電極の一つ置きにパルスを印加するハーフモードを備えている。従ってこのタッチパネルは、ダブルクリック操作、スライド操作などの検出をハーフモードで行うことで、検出時間を短くすることができる。
【先行技術文献】
【特許文献】
【０００４】
【特許文献１】特開２０１０−３９６０２号公報
【発明の概要】
【発明が解決しようとする課題】
【０００５】
しかし、従来のタッチパネルは、スキャンの方向とは逆方向にスライド操作がなされた場合、ハーフモードでスキャン時間を短縮したとしても、操作方向とスキャン方向とが同じ方向である場合の検出値とは異なる検出値が検出され、検出精度が低下する可能性がある。
【０００６】
従って、本発明の目的は、検出点の検出精度を向上させることができる操作装置を提供することにある。
【課題を解決するための手段】
【０００７】
本発明の一態様は、第１の方向に並べられた複数の電極を有する検出部と、予め定められた順番に従って複数の電極から検出値を読み出す読出部と、検出部と読出部との間に電気的に接続され、予め定められた順番に従って複数の電極と読出部との電気的な接続を選択的に切り替える切替部と、読出部を介して取得した検出値に基づいて、検出部になされた操作の操作方向を判定し、操作方向に従って予め定められた順番を変更するように切替部を制御する制御部と、を備えた操作装置を提供する。
【発明の効果】
【０００８】
本発明によれば、検出点の検出精度を向上させることができる。
【図面の簡単な説明】
【０００９】
【図１】図１は、実施の形態に係る操作装置のブロック図である。
【図２】図２（ａ）〜（ｄ）は、実施の形態に係る操作装置のスキャン方向の変更を説明するための概略図である。
【図３】図３は、実施の形態に係る操作装置の動作に関するフローチャートである。
【発明を実施するための形態】
【００１０】
（実施の形態の要約）
実施の形態に係る操作装置は、第１の方向に並べられた複数の電極を有する検出部と、予め定められた順番に従って複数の電極から検出値を読み出す読出部と、検出部と読出部との間に電気的に接続され、予め定められた順番に従って複数の電極と読出部との電気的な接続を選択的に切り替える切替部と、読出部を介して取得した検出値に基づいて、検出部になされた操作の操作方向を判定し、操作方向に従って予め定められた順番を変更するように切替部を制御する制御部と、を備える。
【００１１】
この操作装置は、なされた操作の操作方向に従って検出値を読み出す順番を変更するので、検出値を読み出す順番が固定されている場合と比べて、操作の検出精度を高くすることが可能となり、検出点の座標の算出が容易となる。
【００１２】
[実施の形態]
（操作装置１の構成）
図１は、実施の形態に係る操作装置のブロック図である。なお、実施の形態に係る各図において、描かれた画像と画像の比率は、実際の比率とは異なる場合がある。
【００１３】
操作装置１は、例えば、電気的に接続された電子機器の操作を行うことができるものである。操作装置１は、例えば、検出対象物としての導電性を有するペンや指による操作により、電子機器の表示部等に表示されたカーソルの移動や選択、表示されたアイコンのドラッグ、ドロップ等の指示を行うことができるように構成されている。本実施の形態では、検出対象物として、指による操作について説明する。
【００１４】
この操作装置１は、図１に示すように、第１の方向に並べられた複数の電極を有する検出部としてのタッチパネル２と、予め定められた順番に従って複数の電極から検出値を読み出す読出部５と、タッチパネル２と読出部５との間に電気的に接続され、予め定められた順番に従って複数の電極と読出部５との電気的な接続を選択的に切り替える切替部７と、読出部５を介して取得した検出値に基づいて、タッチパネル２になされた操作の操作方向を判定し、操作方向に従って予め定められた順番を変更するように切替部７を制御する制御部８と、を備えて概略構成されている。
【００１５】
以下では、一例として、図１に示すｘ軸方向を第１の方向として説明する。このｘ軸方向とは、ｘ０からｘ３に向かう方向である。従って上記の電極とは、ｘ軸に直交するように並べられた第１の電極２１０である。
【００１６】
また予め定められた順番とは、例えば、ｘ０からｘ３の順に検出値が読み出される順番を示している。また後述するように、駆動側の第２の電極２２０は、例えば、ｙ０からｙ３の順に駆動される。この順番で、駆動と検出値の読み出しが行われることを、以下ではスキャンと記載するものとする。
【００１７】
また操作装置１は、図１に示すように、駆動部３と、切替部７と、を備えて概略構成されている。
【００１８】
（タッチパネル２の構成）
タッチパネル２は、例えば、操作者の体の一部（例えば、指）や専用のペンで操作面２０に触れることにより、触れた操作面２０上の位置（検出点）を検出するタッチセンサである。操作者は、例えば、操作面２０に操作を行うことにより、接続された電子機器の操作を行うことが可能となる。
【００１９】
本実施の形態に係るタッチパネル２は、例えば、操作面２０に指が近づく、又は接触することによる、電極間の電場の変化、又は電極と指との距離に反比例した電流の変化を検出する静電容量方式のタッチパネルである。
【００２０】
タッチパネル２は、図１に示すように、第１の方向としてのｘ軸方向に並べられた複数の第１の電極２１０と、第１の方向と交差する第２の方向としてのｙ軸方向に並べられた複数の第２の電極２２０と、を備えて概略構成されている。
【００２１】
この第１の電極２１０及び第２の電極２２０は、例えば、図１に示すように、紙面の縦方向及び横方向に沿って並んでいる。言い換えるなら、第１の電極２１０は、ｘ軸に直交するように配置され、第２の電極２２０は、ｙ軸に直交するように配置されている。本実施の形態では、図１の紙面の横方向をｘ軸方向、縦方向をｙ軸方向とし、操作面２０の左上を原点としている。
【００２２】
ｘ軸に直交する方向には、一例として、４個の第１の電極２１０が等間隔で並んでいる。ｙ軸に直交する方向には、一例として、４個の第２の電極２２０が等間隔で並んでいる。なお、第１の電極２１０及び第２の電極２２０の数は、任意である。さらに、変形例として、電極は、例えば、第１の電極２１０が１つの方向に複数並べられ、一次元方向の操作が検出される構成であっても良い。
【００２３】
第１の電極２１０及び第２の電極２２０は、例えば、座標軸の目盛に一致させて並べられている。従って、ｘ軸の目盛は、ｘに下付きの数字（０〜３）を付して、左から右に向かってｘ０〜ｘ３と示すものとし、その目盛に並べられた電極を「ｘ０の第１の電極２１０」等と記載するものとする。また、ｙ軸の目盛は、ｙに下付きの数字（０〜３）を付して、上から下に向かってｙ０〜ｙ３と示すものとし、その目盛に並べられた電極を「ｙ０の第２の電極２２０」等と記載するものとする。従って、例えば、ｙ１の第２の電極２２０が駆動され、ｘ０の第１の電極２１０のみから検出値が検出されたような場合、検出点の座標は（０、１）となる。
【００２４】
第１の電極２１０は、例えば、第２の電極２２０よりも操作面２０に近い層に形成されている。また、第１の電極２１０は、第２の電極２２０と電気的に絶縁されている。また第１の電極２１０及び第２の電極２２０は、導電性を有する銅等の金属材料を用いて形成されている。なお、第１の電極２１０及び第２の電極２２０は、例えば、タッチパネル２の裏側に表示部を備える場合は、ＩＴＯ（スズドープ酸化インジウム：Indium Tin Oxide）等の透明電極を用いて形成される。
【００２５】
このタッチパネル２は、切替部７を介して駆動部３と読出部５とに電気的に接続されている。
【００２６】
（切替部７の構成）
切替部７は、例えば、タッチパネル２と駆動部３、タッチパネル２と読出部５、との間に設けられている。
【００２７】
切替部７は、制御部８と電気的に接続されている。切替部７は、制御部８から取得した切替制御信号に基づいて、第１の電極２１０のそれぞれと読出部５、第２の電極２２０のそれぞれと駆動部３、の電気的な接続の切り替えを行うように構成されている。
【００２８】
（駆動部３の構成）
駆動部３は、例えば、切替部７を介して選択的に接続された第２の電極２２０のそれぞれを駆動するように構成されている。駆動部３は、例えば、駆動信号を供給することで、第２の電極２２０のそれぞれを駆動するように構成されている。この駆動信号は、例えば、パルス信号である。
【００２９】
（読出部５の構成）
読出部５は、例えば、切替部７を介して選択的に接続された第１の電極２１０のそれぞれの電極から検出値を読み出すように構成されている。読出部５は、指と電極の間で生成される静電容量に基づいて変化する駆動信号を検出値として読み出すように構成されている。
【００３０】
なお、１周期分のスキャンは、一例として、ｙ０の第２の電極２１０が駆動された後、ｘ０〜ｘ３の第１の電極２１０の順番で検出値が読み出され、ｙ１の第２の電極２１０が駆動された後、ｘ０〜ｘ３の第１の電極２１０の順番で検出値が読み出され、この読み出しをｙ０〜ｙ３まで繰り返し行うことで行われる。
【００３１】
（制御部８の構成）
図２（ａ）〜（ｄ）は、実施の形態に係る操作装置のスキャン方向の変更を説明するための概略図である。
【００３２】
制御部８は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部８が動作するためのプログラムが格納されている。ＲＡＭは、例えば、一時的に演算結果等を格納する記憶領域として用いられる。このＲＡＭには、例えば、取得した検出値が格納される。また制御部８は、その内部にクロック信号を生成する手段を有し、このクロック信号に基づいてタッチパネル２のスキャンを行う。
【００３３】
制御部８は、図１に示すように、駆動部３を制御する駆動制御信号、読出部５を制御する読出制御信号、及び切替部７を制御する切替制御信号、を生成するように構成されている。
【００３４】
駆動制御信号は、例えば、切替部７を介して接続された第２の電極２２０のそれぞれの電極に、駆動信号を供給させるように駆動部３を制御する信号である。読出制御信号は、例えば、切替部７を介して接続された第１の電極２１０から検出値を読み出して出力させるように読出部５を制御する信号である。切替制御信号は、例えば、第１の電極２１０のそれぞれの電極と読出部５、第２の電極２２０のそれぞれの電極と駆動部３、の電気的な接続を切り替えさせるように切替部７を制御する信号である。
【００３５】
制御部８は、操作がなされた操作面２０上の検出点を算出するために用いるしきい値８０を有している。この検出点の算出方法は、例えば、加重平均を用いた方法等の周知の算出方法が用いられる。
【００３６】
制御部８は、取得した検出値と、しきい値８０と、を比較して操作面２０における操作の有無を判定し、操作がなされていた場合は、その検出点を算出して操作情報として電気的に接続された電子機器に出力するように構成されている。なお、本実施の形態において、操作装置１は、一例として、スキャンが１周期終了した後に操作情報を出力するように構成されているがこれに限定されず、任意のタイミングで生成され出力される。
【００３７】
制御部８は、操作方向が、予め定められた順番に応じて検出値が読み出される方向（ｘ０からｘ３に向かう方向）と反対の方向（ｘ３からｘ０に向かう方向）であると判定した場合、検出値を読み出す順番、すなわちスキャン方向を反対の方向に変更するように切替部７を制御するように構成されている。つまり、制御部８は、操作方向を判定すると共に、判定した操作方向に基づいてスキャン方向を変更するように構成されている。
【００３８】
また、制御部８は、一例として、しきい値８０より大きい第１の検出値が検出され、この第１の検出値より後で、かつ、予め定められた期間内に取得された第２の検出値が、しきい値８０より大きい場合、操作方向と、予め定められた順番に応じて検出値が読み出される方向と、が一致していると判定する。
【００３９】
この予め定められた期間とは、一例として、第１の検出値が読み出された時点から、続いて検出値が読み出されるまでの期間でも良いし、第１の検出値が読み出された時点から、予め定められた個数の電極から検出値が読み出されるまでの期間であっても良い。
【００４０】
また制御部８は、例えば、操作方向と、検出値が読み出される方向と、が異なる場合、第１の検出値が読み出された電極の操作方向側の電極から検出値を読み出すように切替部７を制御する。
【００４１】
この操作方向側の電極から検出値を読み出すとは、一例として、検出値が読み出される方向がｘ０からｘ３に向かう方向で、操作方向がｘ３からｘ０に向かう方向であり、ｘ２の第１の電極２１０から第１の検出値が読み出された場合、操作方向側にあるｘ１又はｘ０の第１の電極２１０からスキャン方向を変更して検出値を読み出すことを示している。
【００４２】
また制御部８は、例えば、予め定められた期間内に読み出された検出値が、しきい値８０を超えない場合、タッチ操作が行われたと判定する。なお、操作方向の判定は、これらに限定されず、複数周期に渡って検出された検出値に基づいて判定されても良い。
【００４３】
この複数周期の場合、制御部８は、一例として、第１の検出点が第１の周期で検出された後、予め定められた周期後に第２の検出点が検出されると、第１の検出点と第２の検出点に基づいて操作方向の判定を行う。制御部８は、例えば、操作方向を判定した後、その判定結果に基づいてスキャン方向を変更するか否かを判定する。この予め定められた周期とは、例えば、任意の周期である。
【００４４】
ここで図２（ａ）は、ｙ０の第２の電極２２０が駆動され、ｘ０からｘ３の向きにスキャンされ、ｘ１の第１の電極２１０の検出値が読み出されてからｘ２の第１の電極２１０の検出値が読み出されるまでの間に、指が接触した場合を示しているものとする。また図２（ａ）では、予想検出値として、指がｘ２とｘ３の間に位置する際に、各電極で検出されると予想される検出値を示している。さらに図２（ａ）では、取得検出値として、読出部５が読み出した検出値を示している。またさらに図２（ａ）において、点線で囲んだ予想検出値は、最後に読み出された検出値を示している。なお、図２（ｂ）〜（ｄ）では、例えば、図２（ａ）と同様に、予想検出値と取得検出値とが図示されている。
【００４５】
図２（ａ）に示すように、指がｘ２の第１の電極２１０とｘ３の第１の電極２１０との間に位置する場合、例えば、読み出される検出値の総量が「１０」であるとすると、予想される検出値は、ｘ２の第１の電極２１０が「５」、ｘ３の第１の電極２１０が「５」である。なお、以下では、一例として、しきい値８０が「４」であり、制御部８は、検出値が「４」より大きい際、操作（検出点）が検出されたと判定するものとする。なお、しきい値８０は、上記の例に限定されず、用途に合わせた任意の値で良い。
【００４６】
図２（ａ）では、ｘ２の第１の電極２１０から検出値を読み出した際に、操作が検出される。これに続く、図２（ｂ）では、スキャン方向と操作方向とが逆であるため、ｘ３の第１の電極２１０の検出値を読み出すと、既に指が移動しているため、指と当該電極との距離が離れて検出値が「０」となってしまう可能性がある。
【００４７】
従って、スキャン方向を変更しない場合、図２（ａ）及び（ｂ）に示すように、ｘ０〜ｘ３の第１の電極２１０から取得される全検出値は、「５」となる。
【００４８】
しかし、スキャン方向を操作方向に応じて変更した場合、図２（ａ）〜（ｄ）に示すように、ｘ０〜ｘ３の第１の電極２１０から取得される全検出値は、「１８」となり、変更が行われない場合と比べて大きくなる。従って、操作装置１は、全検出値が、スキャン方向を変更しない場合と比べて大きくなるので、検出点の座標の算出等を容易に行うことが可能になる。
【００４９】
以下では、実施の形態に係る操作装置１の動作について、図３のフローチャートに従って説明する。なお、以下では、指が一本の場合の操作について説明する。複数の指が操作面２０に接触するマルチタッチの場合は、例えば、スキャン方向が変更されず、予め定められた順番で検出値が読み出される。
【００５０】
（動作）
操作装置１は、電源が投入されると、クロック信号に基づいて周期的に、かつ予め定められた順番で、検出値の読み出しを行う（Ｓ１）。
【００５１】
具体的には、操作装置１の制御部８は、駆動部３に駆動制御信号、読出部５に読出制御信号、及び切替部７に切替制御信号を出力する。切替部７は、切替制御信号に基づいて、駆動信号を供給する電極と駆動部３とを電気的に接続し、検出値を読み出す電極と読出部５とを電気的に接続する。以下では、駆動される電極が、ｙ０の第２の電極２２０である場合について説明する。
【００５２】
操作者は、電子機器を操作するために、図２（ａ）に示すように、ｘ２の第１の電極２１０とｘ３の第１の電極２１０の間の操作面２０に指を接触させ、図２（ａ）の紙面の右から左へとなぞり操作を行う。つまり操作方向は、ｘ３からｘ０に向かう方向であり、予め定められた順番に基づくスキャン方向（ｘ０からｘ３に向かう方向）とは異なる。
【００５３】
制御部８は、読出部５を介して取得した検出値としきい値８０とを比較し、検出点があるか否かを判定する。制御部８は、検出点が検出されると（Ｓ２：Ｙｅｓ）、読出部５を介して次の電極の検出値を読み出して操作方向を判定する（Ｓ３）。次の電極とは、この場合、図２（ｂ）に示すように、ｘ３の第１の電極２１０である。制御部８は、次の読み出し電極であるｘ３の第１の電極２１０の検出値「０」と、しきい値８０と、を比較して操作方向を判定する。
【００５４】
次に、制御部８は、判定した操作方向に基づいてスキャン方向を変更するか否かを判定する。制御部８は、次に読み出した電極の検出値がしきい値８０より小さいことから、操作方向がスキャン方向とは逆方向であるとしてスキャン方向を変更する（Ｓ４：Ｙｅｓ）。なお、制御部８は、例えば、スキャン方向を変更して、予め定められた期間、検出点が検出されない場合は、タッチ操作がなされたと判定する。
【００５５】
次に、制御部８は、スキャン方向を変更して検出値を読み出す（Ｓ５）。具体的には、制御部８は、例えば、図２（ｃ）に示すように、操作が検出されたｘ２の第１の電極２１０ではなく、ｘ２の第１の電極２１０の操作方向側の電極であるｘ１の第１の電極２１０の検出値を読み出すように、切替部７を制御する。従って、制御部８は、図２（ｃ）に示すように、ｘ１の第１の電極２１０の検出値「８」を読み出すこととなる。なお、制御部８は、例えば、既に取得したｘ１及びｘ２の第１の電極２１０から読み出した検出値を、スキャン方向を変更して読み出した検出値に置き換えて記憶するものとする。
【００５６】
次に、制御部８は、スキャン方向を変更して読み出した検出値により、１周期分のスキャンが終了したか否かを確認する。制御部８は、１周期分のスキャンが終了していないので（Ｓ６：Ｎｏ）、図２（ｄ）に示すように、ステップ１に戻ってｘ０の第１の電極２１０の検出値を読み出す。
【００５７】
操作装置１は、１周期分のスキャンが終了するまでステップ１からの処理を続け、１周期分のスキャンが終了すると（Ｓ６：Ｙｅｓ）、操作情報を出力する（Ｓ７）。操作装置１は、電源が遮断されるまで、これらの動作を継続する。なお、操作装置１は、例えば、ｙ０の第２の電極２２０の駆動に続いてｙ１の第２の電極２２０が駆動されると、スキャン方向が変更されているので、ｘ３からｘ１の第１の電極２１０の順番で検出値を読み出す。また、操作装置１は、例えば、１周期分のスキャンにおいて、スキャン方向の変更の回数を予め定めておいても良い。
【００５８】
ここで、ステップ２において、制御部８は、検出点が検出されなかった場合（Ｓ２：Ｎｏ）、ステップ６に処理を進める。
【００５９】
また、ステップ４において、制御部８は、スキャン方向が変更されていない場合（Ｓ４：Ｎｏ）、ステップ６に処理を進める。
【００６０】
（実施の形態の効果）
本実施の形態に係る操作装置１は、検出点の検出精度を向上させることができる。具体的には、操作装置１は、なされた操作の操作方向に従って検出値を読み出すので、検出値を読み出す順番が固定されている場合と比べて、操作の検出精度を高くすることが可能となり、検出点の座標の算出が容易となる。つまり、操作装置１は、少なくとも、駆動される１つの電極当たりの全検出値が、スキャン方向を変更しない場合と比べて大きくなるので、より正確に静電容量の検出が可能となり、検出点の座標の算出等が容易となる。なお、この駆動される１つの電極当たりの全検出値とは、上述したように、例えば、ｙ０の第２の電極２２０を駆動した場合のｘ０〜ｘ３の第１の電極２１０から読み出された検出値の総量を示している。
【００６１】
また操作装置１は、操作方向とスキャン方向とを同じ方向に変更するので、１周期のスキャンに要する時間を長く設定することが可能となり、検出精度を高めつつ、部品にかかるコストを下げることができる。つまり、操作装置１は、スキャン方向と逆方向の操作方向の操作の検出精度を上げるために、スキャンの周期を早める必要がなく、操作に要する時間に応じて周期を設定することが可能となる。
【００６２】
また操作装置１は、検出精度が向上するので、操作者が手袋を着用して操作した場合や、操作中に操作面２０から指が浮いたような場合であっても精度良く操作を検出することができる。
【００６３】
ここで変形例として、上記の実施の形態では、ｘ軸方向の一次元方向のスキャン方向の変更について説明したが、これに限定されず、ｙ軸方向のスキャン方向を変更する構成であっても良い。実施の形態の場合では、例えば、駆動される電極が操作方向に従って変更される。また、操作装置１は、駆動側と読み出し側とを組み合わせてスキャン方向を変更されても良い。
【００６４】
また変形例として、操作装置１は、例えば、駆動と読み出しを１つの電極で行うタッチパネルを用いて構成されても良い。
【００６５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６６】
１…操作装置
２…タッチパネル
３…駆動部
５…読出部
７…切替部
８…制御部
２０…操作面
８０…しきい値
２１０…第１の電極
２２０…第２の電極
【図１】
2014081719.tif 000003
【図２】
2014081719.tif 000004
【図３】
2014081719.tif 000005